(57)【要約】 【課題】基盤接続用ジャックコネクタに結合するプラグ型のケーブル付コネクタにおいて、ケーブルに帯電した電荷又は人体の静電気が放電し、基盤内機器を破損することのないようにした新規なケーブル付コネクタを提供することを目的とする。【解決手段】中心コンタクト３の先端の外側にコンタクトスリーブ４を中心コンタクト３の軸方向にスライド可能に設け、このコンタクトスリーブ４に外方に突出する接触部６を設けてあり、このコンタクトスリーブ４に中心コンタクト３の先端方向の弾圧力を付与し、上記コンタクトスリーブ４の接触部６を固定されたシェル９に接触させてあることを特徴とする。【選択図】図１
2013196986.tif 000002
【特許請求の範囲】
【請求項１】
中心コンタクトの先端の外側にコンタクトスリーブを中心コンタクトの軸方向にスライド可能に設け、このコンタクトスリーブに外方に突出する接触部を設けてあり、このコンタクトスリーブに中心コンタクトの先端方向の弾圧力を付与し、上記コンタクトスリーブの接触部を固定されたシェルに接触させてあることを特徴とするケーブル付コネクタ。
【請求項２】
コンタクトスリーブの外側に絶縁体をコンタクトスリーブと同時にスライドするように設けてあることを特徴とする上記請求項１に記載のケーブル付コネクタ。
【請求項３】
コンタクトスリーブに中心コンタクトの先端方向の弾圧力を中心コンタクトに巻き付けたコイルバネにより付与してあることを特徴とする上記請求項１又は２に記載のケーブル付コネクタ。
【請求項４】
コンタクトスリーブに外方に突出して設けた接触部をコンタクトスリーブに外向きに設けた鍔部により構成し、この鍔部が固定されたシェルの内向きに設けた鍔部に接触するようにしてあることを特徴とする上記請求項１乃至３の何れかに記載のケーブル付コネクタ。
【発明の詳細な説明】
【技術分野】
【０００１】
本発明は、基盤接続用ジャックコネクタに結合するプラグ型のケーブル付コネクタに関する。
【背景技術】
【０００２】
ケーブル付コネクタにおいては、ケーブルが長い場合、ケーブルに帯電することが多く、プラグ型のケーブル付コネクタを基盤接続用のジャックコネクタに結合する際、上記ケーブルに帯電した電荷又は人の静電気が放電し、基盤内機器を破損する可能性があり好ましくない。
【０００３】
その為、従前では、ケーブル付コネクタを基盤接続用のジャックコネクタに結合する際にショート冶具或いは放電冶具を用いてケーブルに帯電した電荷を放電させていた。
【０００４】
このショート冶具或いは放電冶具を用いることなく基盤装置側のコネクタにケーブル付コネクタを結合する際、結合前に自動的にケーブルに帯電した電荷を放電させることを可能としたコネクタが知られている（例えば特許文献１）。
【先行技術文献】
【特許文献】
【０００５】
【特許文献１】特開平８−１８０９４２
【発明の開示】
【発明が解決しようとする課題】
【０００６】
上記公知のコネクタは、プリント配線板で構成されるコネクタに関するもので、平板状であるため、プラグ型のケーブル付コネクタには不向きである。
【０００７】
本発明は、基盤接続用ジャックコネクタに結合するプラグ型のケーブル付コネクタにおいて、ケーブルに帯電した電荷又は人体の静電気が放電し、基盤内機器を破損することのないようにした新規なケーブル付コネクタを提供することを目的とする。
【課題を解決するための手段】
【０００８】
そのために、本発明ケーブル付コネクタは、中心コンタクトの先端の外側にコンタクトスリーブを中心コンタクトの軸方向にスライド可能に設け、このコンタクトスリーブに外方に突出する接触部を設けてあり、このコンタクトスリーブに中心コンタクトの先端方向の弾圧力を付与し、上記コンタクトスリーブの接触部を固定されたシェルに接触させてあることを特徴とする。
【０００９】
また、本発明ケーブル付コネクタは、コンタクトスリーブの外側に絶縁体をコンタクトスリーブと同時にスライドするように設けてあることを特徴とする。
【００１０】
さらに、本発明ケーブル付コネクタは、コンタクトスリーブに中心コンタクトの先端方向の弾圧力を中心コンタクトに巻き付けたコイルバネにより付与してあることを特徴とする。
【００１１】
また、本発明ケーブル付コネクタは、コンタクトスリーブに外方に突出して設けた接触部をコンタクトスリーブに外向きに設けた鍔部により構成し、この鍔部が固定されたシェルの内向きに設けた鍔部に接触するようにしてあることを特徴とする。
【発明の効果】
【００１２】
本発明のケーブル付コネクタは、中心コンタクトの先端の外側にコンタクトスリーブを中心コンタクトの軸方向にスライド可能に設け、このコンタクトスリーブに外方に突出する接触部を設けてあり、このコンタクトスリーブに中心コンタクトの先端方向の弾圧力を付与し、上記コンタクトスリーブの接触部を固定されたシェルに接触させてあることを特徴とするから、基盤接続用ジャックコネクタに接続する前には、ケーブルに帯電した電荷又は人体の静電気は、固定されたシェルに放電され、電荷がたまることがない。従って、基盤接続用ジャックコネクタに本発明のケーブル付コネクタを結合させても、基盤接続用ジャックコネクタに放電することなく、基盤内機器が破損することがない効果がある。
【図面の簡単な説明】
【００１３】
【図１】本発明のケーブル付コネクタの基盤接続用ジャックコネクタと結合していない状態の半断面図である。
【図２】本発明のケーブル付コネクタの基盤接続用ジャックコネクタと結合した状態の半断面図である。
【発明を実施するための形態】
【００１４】
図面に示した実施例により本発明の詳細を説明する。
【００１５】
図中符号１が本発明ケーブル付コネクタで、符号２が基盤接続用ジャックコネクタである。本発明ケーブル付コネクタ１には、その中心に中心コンタクト３が設けてある。この中心コンタクト３に図示しないケーブルが接続させてある。この中心コンタクト３の先端の外側に導電体からなる筒状のコンタクトスリーブ４を中心コンタクト３の軸方向にスライド可能に中心コンタクト３に接触させて設けてある。このコンタクトスリーブ４は、中心コンタクト３に巻き付けたコイルバネにより中心コンタクト３の先端方向の弾圧力が付与されている。また、このコンタクトスリーブ４にはその後端に後述する導電体からなる固定されたシェルに接触する鍔部からなる接触部６を設けてある。
【００１６】
上記コンタクトスリーブ４の外側には筒状の絶縁体７を該コンタクトスリーブ４と同時にスライドするように設けてある。この絶縁体７の外側には同じく筒状の絶縁体８を設けてあり、この絶縁体８の長さは、コンタクトスリーブ４と略同じ長さである。この絶縁体８の後半部の外側に導電体からなる筒状の固定されたシェル９を設けてあり、このシェル９の内側に内向きの鍔部１０を絶縁体８の後端に接触させて設けてある。この他図中符号１１は接続スリーブである。
【００１７】
基盤接続用ジャックコネクタ２にはその中心に中心コンタクト１２を設けてあり、その外側に筒状の絶縁体１３を設けてある。
【００１８】
基盤接続用ジャックコネクタ２にケーブル付コネクタ１を結合するためには、基盤接続用ジャックコネクタ２の中心コンタクト１２にケーブル付コネクタ１の中心コンタクト３を差し込むようにするが、その際、ケーブル付コネクタ１のコンタクトスリーブ４と絶縁体７が、基盤接続用ジャックコネクタ２の中心コンタクト１２と絶縁体１３に押されて、コイルバネの弾力に抗して中心コンタクト３に沿って内側にスライドして移動する。この移動に伴いコンタクトスリーブ４の鍔状の接触部６がシェル９の内向き鍔部１０との接触を解いて後方に移動する。  この作動に際して、中心コンタクト３はコンタクトスリーブ４を介してシェル９に接続してショートしてあるから、中心コンタクト３には全く荷電されていない。従って、ケーブル付コネクタ１を基盤接続用ジャックコネクタ２に結合してもケーブルからの放電による基盤内機器を破損することはない。
【符号の説明】
【００１９】
１  ケーブル付コネクタ
２  基盤接続用ジャックコネクタ
３  中心コンタクト
４  コンタクトスリーブ  
５  コイルバネ
６  接触部
７  絶縁体
８  絶縁体
９  シェル
１０  鍔部    
１１  接続スリーブ
１２  中心コンタクト
１３  絶縁体  
【図１】
2013196986.tif 000003
【図２】
2013196986.tif 000004